(57)【要約】  表示装置（６１）の背面（６１´）に設けられた第１支持部材（６２）を取付台座に設けられた第２支持部材（７１）に係合させることにより、該取付台座に対して複数台の表示装置（６１）を隣接配置して大画面を形成する多画面表示装置の固定構造であって、第１支持部材（６２）は、背面（６１´）から突出するように設けられた表示側支持板（６５）を有するモニター金具が、表示装置（６１）の背面角部に配置されてなるものであり、第２支持部材（７１）は、表示側支持板（６５）に対応する位置に設けられ背面（６１´）に向けて突出するとともに該表示側支持板（６５）を支持する固定側支持板（７４）を有し、固定側支持板（７４）には、表示側支持板（６５）に係合され表示装置（６１）の縦方向に沿うようにピン部材（７５）が立設され、表示側支持板（６５）と固定側支持板（７４）とが表示装置（６１）の横方向に沿うように相対移動する。
2010116502.tif 000002
【特許請求の範囲】
【請求項１】
表示装置の背面に設けられた第１支持部材を、取付台座に設けられた第２支持部材に係合させることにより、該取付台座に対して複数台の前記表示装置を隣接配置して、大画面を形成する多画面表示装置の固定構造であって、
前記第１支持部材は、前記表示装置の背面から突出するように設けられた表示側支持板を有するモニター金具が、前記表示装置の背面角部に配置されてなるものであり、
前記第２支持部材は、前記表示側支持板に対応する位置に設けられ前記表示装置の背面に向けて突出するとともに、該表示側支持板を支持する固定側支持板を有し、
前記固定側支持板には、前記表示側支持板に係合され前記表示装置の縦方向に沿うようにピン部材が立設され、
前記表示側支持板と前記固定側支持板とが、前記表示装置の横方向に沿うように相対移動することを特徴とする多画面表示装置の固定構造。
【請求項２】
前記モニター金具は、前記表示装置の上側の背面角部に配置され前記表示側支持板にネジ孔が形成された一対の上側モニター金具と、前記表示装置の下側の背面角部に配置され前記表示側支持板に前記横方向に沿うように第１長孔が形成された一対の下側モニター金具と、を有し、
前記固定側支持板には、前記横方向に沿うように第２長孔が形成され、
前記ピン部材は、その長手方向の上部が前記第１長孔に挿入され、長手方向の下部が前記第２長孔に挿入され、少なくともこれら上部と下部との間に形成されたネジ部が前記ネジ孔に螺合されていることを特徴とする請求項１に記載の多画面表示装置の固定構造。
【請求項３】
前記モニター金具は、前記表示装置の上側の背面角部に配置された一対の上側モニター金具と、前記表示装置の下側の背面角部に配置された一対の下側モニター金具と、を有し、
前記表示側支持板には、前記横方向に沿うように長孔が形成され、
前記長孔には、前記ピン部材が挿通され、
前記ピン部材は、前記固定側支持板上に設けられた大径の基端部と、該基端部に前記縦方向に立設された小径の支持ピンと、を有し、
前記上側モニター金具の長孔は、前記ピン部材の基端部に係合されるように幅寸法が設定され、また、前記下側モニター金具の長孔は、前記ピン部材の支持ピンに係合されるように幅寸法が設定され、
前記第１支持部材を第２支持部材に係合させた場合に、前記上側モニター金具の長孔が前記ピン部材の基端部に係合されるとともに、該上側モニター金具の表示側支持板が、前記第２支持部材の固定側支持板に支持され、さらに前記下側モニター金具の長孔が、前記ピン部材の支持ピンの長さ方向に沿う中間部に配置されることを特徴とする請求項１に記載の多画面表示装置の固定構造。
【請求項４】
前記第２支持部材のピン部材は、前記固定側支持板上に横方向に間隔をおいて設けられた一対の大径の基端部と、該基端部のそれぞれに縦方向に立設された小径の支持ピンとから構成され、
少なくとも２台の表示装置を横方向に隣接配置した場合に、一方側の表示装置に設けられた第１支持部材の長孔に、前記第２支持部材の一方側のピン部材を挿通し、かつ他方側の表示装置に設けられた第１支持部材の長孔に、前記第２支持部材の他方側のピン部材を挿通させることを特徴とする請求項３に記載の多画面表示装置の固定構造。
【請求項５】
前記第１支持部材の表示側支持板及び前記第２支持部材の固定側支持板には、前記第１支持部材の表示側支持板に形成された長孔に、前記ピン部材を挿通した状態で、これら表示側支持板と固定側支持板とを互いに締結するネジが設けられることを特徴とする請求項３又は４に記載の多画面表示装置の固定構造。
【請求項６】
前記第１支持部材はＬ型金具によって構成され、
該Ｌ型金具の一方側の板状体は、前記ピン部材の基端部に係合されるように幅寸法が設定された大径の長孔を有する上側モニター金具の表示側支持板を構成し、また、該Ｌ型金具の他方側の板状体は、前記ピン部材の支持ピンに係合されるように幅寸法が設定された小径の長孔を有する下側モニター金具の表示側支持板を構成する、ことを特徴とする請求項３乃至５のいずれか１項に記載の多画面表示装置の固定構造。
【請求項７】
取付台座に対して複数台の表示装置を隣接配置して、大画面を形成する多画面表示装置の固定方法であって、
前記表示装置の背面角部に、前記表示装置の背面から突出するように設けられた表示側支持板を有するモニター金具を配置し、
前記取付台座に固定側支持板を介して設けられたピン部材を、前記表示側支持板に係合させた状態で、前記固定側支持板に対する前記表示側支持板の位置を前記表示装置の横方向に沿って調整することによって、該表示装置の横方向のずれを調整することを特徴とする多画面表示装置の固定方法。
【請求項８】
前記ピン部材は、前記モニター金具のうち前記表示装置の上側の背面角部に配置された上側モニター金具における前記表示側支持板のネジ孔に螺合され、前記モニター金具のうち前記表示装置の下側の背面角部に配置された下側モニター金具における前記表示側支持板に前記横方向に沿うように形成された第１長孔に挿通され、前記固定側支持板に前記横方向に沿うように形成された第２長孔に挿通されており、
前記上側モニター金具、前記下側モニター金具及び前記固定側支持板を互いに前記横方向に相対移動させることによって、前記表示装置の横方向のずれを調整し、
前記ピン部材と前記ネジ孔との螺合の状態を調整することによって、前記表示装置の縦方向のずれを調整することを特徴とする請求項７に記載の多画面表示装置の固定方法。
【請求項９】
前記表示側支持板には、前記横方向に沿うように長孔が形成されており、
前記ピン部材を前記長孔に挿通し、かつ該長孔に対するピン部材の位置を、該長孔の長さ方向に沿って調整することによって、該表示装置の横方向のずれを調整することを特徴とする請求項７に記載の多画面表示装置の固定方法。
【請求項１０】
前記モニター金具は、前記表示装置の上側の背面角部に配置された一対の上側モニター金具と、前記表示装置の下側の背面角部に配置された一対の下側モニター金具とを有し、
前記上側及び下側モニター金具の長孔内に、前記取付台座に固定側支持板を介して設けられたピン部材を挿通させた状態で、前記上側モニター金具の表示側支持板を、前記取付台座に固定された固定側支持板で支持することを特徴とする請求項９に記載の多画面表示装置の固定方法。
【請求項１１】
前記取付台座に固定された固定側支持板、及び該固定側支持板で支持された上側モニター金具の表示側支持板にネジを螺合することで、これら固定側支持板及び表示側支持板を連結することを特徴とする請求項８又は１０に記載の多画面表示装置の固定方法。
【請求項１２】
少なくとも２台の前記表示装置が横方向に隣接配置される箇所の前記取付台座に、一対のピン部材を横方向に近接配置し、
一方側の表示装置に設けられたモニター金具の長孔に、前記一方側のピン部材を挿通し、かつ他方側の表示装置に設けられたモニター金具の長孔に、前記他方側のピン部材を挿通させることを特徴とする請求項９乃至１１のいずれか１項に記載の多画面表示装置の固定方法。
【請求項１３】
前記モニター金具の長孔が挿通される一対のピン部材を近接配置することにより支持部材を形成し、
該支持部材を、前記表示装置の横方向に沿って配置されたモニター金具の長孔の設置間隔に対応して複数配置することを特徴とする請求項１２に記載の多画面表示装置の固定方法。
【発明の詳細な説明】
【技術分野】
【０００１】
本発明は、複数の表示装置を隣接配置することで大画面を形成する多画面表示装置に係り、これら複数の表示装置を正確に位置決め及び固定することができる固定構造及び固定方法に関する技術である。
【背景技術】
【０００２】
薄型モニターとしては、液晶表示装置やプラズマディスプレイ装置などがあり、これらの大きさは、５０インチクラスまでが量産されている。さらに、１００インチを超える大型画面とするためには、これら表示装置を複数台並べて表示する多画面表示装置が採用されている。例えば、５０インチの表示装置を縦に２台、横に２台並べれば１００インチの大画面表示装置を構成することができる。【０００３】
そして、このような表示装置を固定する冶具として、例えば、特許文献１に示される表示装置の据付装置が知られている。
この特許文献１に示される据付装置では、表示装置の裏面に固定された表示部取付金具と、該表示部取付金具を支持する係止部材と、該係止部材を円筒状金具を介して回動自在に吊り下げる吊下部材とを有するものであって、これら表示部取付金具、係止部材、円筒状金具によって、前記表示装置を吊下部材に対して固定及び保持する。
【先行技術文献】
【特許文献】
【０００４】
【特許文献１】特開２００１−１４７６４６号公報
【発明の概要】
【発明が解決しようとする課題】
【０００５】
ところで、特許文献１に示される表示装置の据付装置は、表示装置の裏面に固定された表示部取付金具を、据付金具に設けられた係止部材に直接、ネジにより固定するものであるので、例えば、隣接する表示装置との間にずれが生じた場合に、これを調整することが難しいという問題があった。
また、上記表示装置の据付装置では、表示装置の裏面中央部に固定された表示部取付金具を、据付金具に設けられた係止部材で支持する構成であるので、表示装置の表示部取付金具と係止部材との位置合わせが難しく、これが上述したような、隣接する表示装置との間に横方向又は縦方向のずれを発生させる原因ともなっていた。【０００６】
本発明は、このような事情を考慮してなされたもので、複数の表示装置を設置する際に、該表示装置のずれを容易に調整することができ、これによって隣接する表示装置との間に隙間を発生させず、該表示装置を正確に位置決め及び固定することができる多画面表示装置の固定構造及び固定方法の提供を目的とする。
【課題を解決するための手段】
【０００７】
上記目的を達成するために本発明は以下の手段を提案している。
すなわち、本発明は、表示装置の背面に設けられた第１支持部材を、取付台座に設けられた第２支持部材に係合させることにより、該取付台座に対して複数台の前記表示装置を隣接配置して、大画面を形成する多画面表示装置の固定構造であって、前記第１支持部材は、前記表示装置の背面から突出するように設けられた表示側支持板を有するモニター金具が、前記表示装置の背面角部に配置されてなるものであり、前記第２支持部材は、前記表示側支持板に対応する位置に設けられ前記表示装置の背面に向けて突出するとともに、該表示側支持板を支持する固定側支持板を有し、前記固定側支持板には、前記表示側支持板に係合され前記表示装置の縦方向に沿うようにピン部材が立設され、前記表示側支持板と前記固定側支持板とが、前記表示装置の横方向に沿うように相対移動することを特徴とする。【０００８】
また、本発明は、取付台座に対して複数台の表示装置を隣接配置して、大画面を形成する多画面表示装置の固定方法であって、前記表示装置の背面角部に、前記表示装置の背面から突出するように設けられた表示側支持板を有するモニター金具を配置し、前記取付台座に固定側支持板を介して設けられたピン部材を、前記表示側支持板に係合させた状態で、前記固定側支持板に対する前記表示側支持板の位置を前記表示装置の横方向に沿って調整することによって、該表示装置の横方向のずれを調整することを特徴とする。
【発明の効果】
【０００９】
本発明によれば、取付台座に設けられた第２支持部材における固定側支持板のピン部材を、表示装置の背面に設けられた第１支持部材の表示側支持板に係合した状態で、表示側支持板が固定側支持板に支持されており、これにより、表示装置の全体が取付台座に支持されている。そして、これら表示側支持板と固定側支持板とが、表示装置の横方向に沿うように相対移動する構成とされているので、該表示装置の横方向のずれを容易に調整することができ、これによって複数の表示装置を設置する際に、隣接する表示装置との間に隙間を発生させず、該表示装置を正確に位置決め及び固定することができる。
【図面の簡単な説明】
【００１０】
【図１】本発明の第１実施形態に係る表示装置を後側から見た斜視図である。
【図２】図１の表示装置にモニター金具を取り付けた状態を示す斜視図である。
【図３】図１の表示装置を取り付けるフレームを示す斜視図である。
【図４】図１の表示装置をフレームに取り付けた状態を示す側面図である。
【図５】図１の表示装置をフレームに縦方向に複数段取り付けた状態を示す側面図である。
【図６】図１の表示装置をフレームに横方向に複数取り付けた状態を示す平面図である。
【図７】図１の表示装置を縦型とするためのモニター金具を取り付けた状態を示す斜視図である。
【図８】本発明の他の実施形態に係るもので、モニター金具として使用されるＬ型金具を示す斜視図である。
【図９】図８のＬ型金具を表示装置に取り付けた状態を示す斜視図である。
【図１０】本発明の第２実施形態に係るもので、表示装置を平面視、四角形となるように複数台連結した状態を示す平面図である。
【図１１】本発明の第３実施形態に係るもので、表示装置をフレームにネジ固定した状態を示す側面図である。
【図１２】図１１の他の形態を示す側面図である。
【図１３】本発明の第４実施形態に係るもので、表示装置をフレームに縦方向に複数段取り付けた状態を後側から見た斜視図である。
【図１４】図１３におけるＨ部を拡大して示す分解斜視図である。
【図１５】図１３における側面図である。
【発明を実施するための形態】
【００１１】
以下、図面を参照し、本発明の実施の形態について説明する。以下に説明する実施の形態は、本発明の実施の形態のうち一例を示すものであり、本発明は、この実施の形態に限定されるものではない。
【００１２】
（第１実施形態）
図１〜図７は、本発明の第１実施形態に係る多画面表示装置の固定構造及び固定方法を示す図である。図１及び図２に示されるように、表示装置１の背面（符号１´で示す）の角部４箇所にはモニター金具２（第１支持部材）が設けられている。
このモニター金具２は、Ｌ型金具によって形成されているものであって、該Ｌ型金具を構成する一方側の板状体３は、ネジ４によって表示装置１の背面１´の取付孔４Ａに固定され、また、該Ｌ型金具を構成する他方側の板状体５（表示側支持板）は、表示装置１の背面１´に対して突出しかつ直角となるように配置されている。このモニター金具２の他方側の板状体５には、表示装置１の横方向（矢印Ａ−Ｂ方向）に沿うように長孔６が形成されている。
【００１３】
該モニター金具２の長孔６は、上側に位置する２組のモニター金具２（以下、上側モニター金具２Ａと言う）と、下側に位置する２組のモニター金具２（以下、下側モニター金具２Ｂと言う）とで幅寸法（符号Ｍで示す）が異なっている。
上側モニター金具２（２Ａ）の幅寸法Ｍ（図２参照）は、下側モニター金具２（２Ｂ）より大きく形成されているが、これは、ブラケット１１のピン部材１５との係合箇所の違いによるものである。すなわち、上側モニター金具２（２Ａ）の長孔６は、ピン部材１５の基端部１６に係合されるように幅寸法Ｍが設定され、また、下側モニター金具２（２Ｂ）の長孔６は、ピン部材１５の支持ピン１７に係合されるように幅寸法Ｍが設定されている（後述する）。
【００１４】
図３に示すように、表示装置１が取り付けられるフレーム１０（取付台座）には、前述したモニター金具２に連結される複数のブラケット１１（第２支持部材）が固定されている。該ブラケット１１は、モニター金具２と同様に、Ｌ型金具によって形成されており、該Ｌ型金具を構成する一方側の板状体１２は、ネジ１３によってフレーム１０に固定され、また、該Ｌ型金具を構成する他方側の板状体１４（固定側支持板）は、フレーム１０から突出かつ直角となるように配置されている。詳しくは、ブラケット１１の板状体１４は、モニター金具２の板状体５に対応する位置に設けられるとともに、表示装置１の背面１´に向けて突出し形成されている。
【００１５】
また、前記フレーム１０に固定される複数のブラケット１１のそれぞれは、板状体１４上に間隔をおいて設けられた一対のピン部材１５を有してなるものであり、それぞれのピン部材１５は、図３に示すように、ブラケット１１の板状体１４上に設けられた大径の基端部１６と、該基端部１６に縦方向（矢印Ｃ−Ｄ方向）に立設された小径の支持ピン１７とから構成されている。
図４に示すように、該ピン部材１５の基端部１６は、上側モニター金具２（２Ａ）の長孔６に係合されるように径が設定され、また、該ピン部材１５の支持ピン１７は、下側モニター金具２（２Ｂ）の長孔６に係合されるように径が設定されている。また、上側及び下側モニター金具２の長孔６内に、ブラケット１１のピン部材１５を挿通させた場合には、図４に示すように、上側モニター金具２（２Ａ）の板状体５が、フレーム１０に固定されたブラケット１１の板状体１４で支持されるように、これらモニター金具２とブラケット１１の縦方向（矢印Ｃ−Ｄ方向）の位置関係が設定されている。
【００１６】
そして、このような寸法設定によって、モニター金具２をブラケット１１に係合させた場合に、図４に示されるように、上側モニター金具２（２Ａ）の長孔６が、ピン部材１５の基端部１６に係合された状態で、該上側モニター金具２（２Ａ）の板状体５が、ブラケット１１の板状体１４に支持されるとともに、下側モニター金具２（２Ｂ）の長孔６が、支持ピン１７の長さ方向に沿う中間部（図４に符号１７Ａで示す）に配置される。
そして、ブラケット１１へのモニター金具２の配置によって、上側モニター金具２（２Ａ）の長孔６に挿通されるブラケット１１の支持ピン１７の上部は空いた状態となり、該支持ピン１７に対して、さらに別の表示装置１を係合させることができる。すなわち、図５に示されるように、該支持ピン１７を活用して、最初に設置した表示装置１（図５に符号１ａで示す）の上方側に別の表示装置１（図５に符号１ｂで示す）を位置させ、かつ当該表示装置１（１ｂ）のモニター金具２を構成している下側モニター金具２（２Ｂ）の長孔６を、該支持ピン１７の長さ方向に沿う中間部１７Ａに位置させるようにすれば、当該ブラケット１１を、少なくとも上下２台の表示装置１（１ａ・１ｂ）に共用することが可能となる。
【００１７】
一方、各ブラケット１１のピン部材１５は、ブラケット１１の板状体１４上に、表示装置１に横方向（矢印Ａ−Ｂ方向）に設置された一対のモニター金具２の長孔６の間隔に対応して位置している。具体的には、図６に示されるように、少なくとも２台の表示装置１を横方向（矢印Ａ−Ｂ方向）に隣接配置した場合に、一方のピン部材１５（符号１５Ａで示す）が、一方側の表示装置１（符号１Ａで示す）に設けられたモニター金具２の長孔６内に挿通され、また、他方のピン部材１５（符号１５Ｂで示す）が、他方側の表示装置１（符号１Ｂで示す）に設けられたモニター金具２の長孔６内に挿通可能となる。これによって少なくとも２台の表示装置１が横方向（矢印Ａ−Ｂ方向）に連結配置されることになる。
【００１８】
なお、図６に示すような配置は、２台の表示装置１（１Ａ・１Ｂ）の隣接箇所（符号２０）に位置するモニター金具２を、１つのブラケット１１に係合させる際に行うものであるが、該隣接箇所２０と反対側（図６における右側）にあるモニター金具２については、その長孔６を、対応するブラケット１１の端部側（図６では矢印Ｂ側）に位置するピン部材１５（符号１５Ｃで示す）に挿通させるようにする。そして、このようなブラケット１１へのモニター金具２の配置によって、該ブラケット１１が表示装置１からはみ出すことがなく、正面から見た場合の表示装置１の美観が保たれる。
また、図６は２台の表示装置１（１Ａ・１Ｂ）を隣接配置する場合の例であるが、その台数は特に限定されない。隣接配置する表示装置の台数を３台以上にする場合には、隣接箇所２０に位置する２つのモニター金具２とそれに対応するブラケット１１との位置関係は、図６に示した２つのモニター金具２とそれに対応するブラケット１１（ピン部材１５Ａ、ピン部材１５Ｂ）と同じにする。このとき、矢印Ａ−Ｂ方向に沿って横並びに表示装置１を配置する場合のブラケット１１の使用個数は、「表示装置１の台数×２＋２」個となる。
【００１９】
以上詳細に説明したように本実施形態に示される多画面表示装置では、フレーム１０に設けられたブラケット１１のピン部材１５を、表示装置１の背面１´に設けられたモニター金具２の長孔６に挿通した後、該ブラケット１１の板状体１４で、該モニター金具２の板状体５を支持することによって、表示装置１の全体がフレーム１０に支持されることになる。このとき、フレーム１０に設けられたブラケット１１のピン部材１５を、表示装置１の背面１´に設けられたモニター金具２の長孔６に挿通し、かつ該長孔６に対するピン部材１５の位置を、該長孔６の長さ方向に沿って調整することによって、該表示装置１の横方向（矢印Ａ−Ｂ方向）のずれを容易に調整することができ、これによって複数の表示装置１を設置する際に、隣接する表示装置１との間に隙間を発生させず、該表示装置１を正確に位置決め及び固定することが可能となる。
【００２０】
また、本実施形態の多画面表示装置では、ブラケット１１のピン部材１５を、ブラケット１１の板状体１４上に設けられた大径の基端部１６と、該基端部１６に縦方向（矢印Ｃ−Ｄ方向）に立設された小径の支持ピン１７とから構成し、モニター金具２をブラケット１１に係合させた場合に、上側モニター金具２（２Ａ）の長孔６がピン部材１５の基端部１６に係合されるとともに、該上側モニター金具２（２Ａ）の板状体５がブラケット１１の板状体１４に支持され、さらに下側モニター金具２（２Ｂ）の長孔６が、ピン部材１５の支持ピン１７の長さ方向に沿う中間部１７Ａに配置される。そして、このような構成によって、上側モニター金具２（２Ａ）の長孔６に挿通されるブラケット１１の支持ピン１７の上部は空いた状態となり、該支持ピン１７に対して、さらに別の表示装置１を係合させることができる。すなわち、該支持ピン１７を活用して、最初に設置した表示装置１（１ａ）の上方側に別の表示装置１（１ｂ）を位置させるようにすれば（図５参照）、該ブラケット１１を、少なくとも上下２台の表示装置１に共用することができ、少ない数のブラケット１１によって、複数台の表示装置１を支持させることが可能となる。
【００２１】
また、本実施形態の多画面表示装置では、少なくとも２台の表示装置１（１Ａ・１Ｂ）を横方向（矢印Ａ−Ｂ方向）に隣接配置した場合（図６参照）に、一方側の表示装置１（１Ａ）に設けられたモニター金具２の長孔６に、ブラケット１１の一方側のピン部材１５を挿通し、かつ他方側の表示装置１（１Ｂ）に設けられたモニター金具２の長孔６に、該ブラケット１１の他方側のピン部材１５を挿通させるようにする。これによって互いに隣接配置される少なくとも２台の表示装置１（１Ａ・１Ｂ）において、各表示装置１の隣接するモニター金具２を、同じブラケット１１の板状体１４に設けられた一対のピン部材１５のいずれかで支持させることができ、これによって該ブラケット１１を、少なくとも横２台の表示装置１に共用することができ、少ない数のブラケット１１によって、複数台の表示装置１を支持させることが可能となる。
【００２２】
なお、本実施形態では、表示装置１が横向きになるように該表示装置１の背面１´にモニター金具２を固定するようにしたが、これに限定されず、図７に示すように、表示装置１が縦型になるように、該表示装置１の背面１´にモニター金具２を固定しても良い。また、図５では複数の表示装置１を縦方向（矢印Ｃ−Ｄ方向）に隣接配置した場合の例、図６では複数の表示装置１を横方向（矢印Ａ−Ｂ方向）に隣接配置した場合の例を示したが、これらを組み合わせてマトリックス状に、複数の表示装置１を配置可能なことは言うまでも無い。この場合、横Ｌ列、縦Ｒ段の表示装置１を構成する場合に必要なブラケット１１の使用個数は、「（Ｌ＋１）×（Ｒ＋１）」個となる。
【００２３】
また、上述したモニター金具２として、図８に示すＬ型金具４０を使用しても良い。このＬ型金具４０は、一方側の板状体４１に、ピン部材１５の基端部１６に係合されるように幅寸法Ｍが設定された大径の長孔６が形成され、また、他方側の板状体４２に、ピン部材１５の支持ピン１７に係合されるように幅寸法Ｍが設定された小径の長孔６が形成されたものである。なお、図８に符号４３で示すものは、表示装置１の背面１´にＬ型金具４０を固定するためのネジ４が挿通されるネジ孔である。
そして、このようなＬ型金具４０では、図９に示すように、小径の長孔６を有する板状体４２を表示装置１の背面１´に固定し、かつ大径の長孔６を有する板状体４１を表示装置１の背面１´から突出させることによって、上側モニター金具２（２Ａ）を構成することができる。この場合、Ｌ型金具４０の板状体４１が、上側モニター金具２（２Ａ）の板状体５となる。
また、取付方向を変更する、すなわち、大径の長孔６を有する板状体４１を表示装置１の背面１´に固定し、かつ小径の長孔６を有する板状体４２を表示装置１の背面１´から突出させることによって、下側モニター金具２（２Ｂ）を構成することができる。この場合、Ｌ字金具４０の板状体４２が、下側モニター金具２（２Ｂ）の板状体５となる。
【００２４】
そして、このような図９に示される多画面表示装置では、モニター金具２をＬ型金具４０によって構成し、さらに該Ｌ型金具の一方側の板状体４１を、大径の長孔６を有する上側モニター金具２（２Ａ）の板状体５とし、また、該Ｌ型金具の他方側の板状体４２を、小径の長孔６を有する下側モニター金具２（２Ｂ）の板状体５とすることができる。これによって該Ｌ型金具４０を、表示装置１の背面１´に取り付ける方向に応じて、上側モニター金具２（２Ａ）としても、下側モニター金具２（２Ｂ）としても使用することができ、その結果、部品の共通化を図ることができ、全体の製作コストを安く抑えることができる。
【００２５】
（第２実施形態）
図１０は、本発明の第２実施形態に係わる多画面表示装置の上面図である。第２実施形態に示される多画面表示装置が、第１実施形態と異なるのは、複数台の表示画面１（１Ｃ・１Ｄ）を、上方から視た平面視の場合において、正方形状となるようにした配置の形態にある。
具体的には、モニター金具２の長孔６が挿通されるブラケット１１は、板状体１４上に一対のピン部材１５を設けることにより構成されるものであるが、本実施形態では、上下一対のブラケット１１を２組（該ブラケットを符号１１Ａ・１１Ａとする）、表示装置１におけるモニター金具２の設置間隔に対応してフレーム１０に配置し、さらに同様のもう２組のブラケット１１（該ブラケットを符号１１Ｂ・１１Ｂとする）を、表示装置１におけるモニター金具２の設置間隔に対応して、先のブラケット１１Ａ・１１Ａに平行となるようにフレーム１０に追加配置するものである。なお、この場合、ブラケット１１は、先の実施形態の図４及び図５に示されるような、上下一対を１組とし、従って、２組では合計４個のブラケット１１を使用することになる。
【００２６】
そして、このようなブラケット１１では、ブラケット１１Ａ・１１Ａの内側に位置するピン部材１５、及びブラケット１１Ｂ・１１Ｂの内側に位置するピン部材１５の設置間隔（符号（イ）で示す）を、表示装置１（符号１Ｃで示す）を支持するモニター金具２の長孔６の設置間隔に対応して水平方向（矢印ａ１−ｂ１方向）に設定し、かつブラケット１１Ａ・１１Ａの外側に位置するピン部材１５、及びブラケット１１Ｂ・１１Ｂの外側に位置するピン部材１５の設置間隔（符号（ロ）で示す）を、先の矢印ａ１−ｂ１方向と直交する水平方向（矢印ａ２−ｂ２方向）に沿うように、表示装置１（符号１Ｄで示す）を支持するモニター金具２の長孔６の設置間隔に対応して設定するようにする。
すなわち、フレーム１０に対して４台の表示装置１（１Ｃ・１Ｄ）が平面視、正方形を形成するように、４組のブラケット１１Ａ・１１Ａ・１１Ｂ・１１Ｂ（合計で８個のブラケットを使用）を配置し、これによって該ブラケット１１Ａ・１１Ａ・１１Ｂ・１１Ｂにモニター金具２を介して取り付けられる４台の表示装置１（１Ｃ・１Ｄ）を、平面視、正方形となるように配置可能とする。
【００２７】
以上詳細に説明したように本実施形態に示される多画面表示装置では、互いに隣接配置される少なくとも複数台の表示装置１において、各表示装置１のモニター金具２を、同じブラケット１１の板状体１４に設けられた一対のピン部材１５のいずれかで支持させることによって、例えば、図１０に示される９０°折れ曲がるような、平面視、正方形となるように表示装置１の配置ができ、複数台の表示装置１の自由なレイアウトが可能となる。
【００２８】
なお、本実施形態では、平面視、正方形となるように４台の表示装置１（１Ｃ・１Ｄ）を配置する例を挙げたが、これに限定されず、４台又はそれ以上の表示装置１を自由な配置にレイアウトすると良い。例えば、平面視、平行四辺形など、複数の表示装置１の自由なレイアウトが可能となる。また、図５に示す配置形態を併用することで、図１０に示す配置を、縦方向に複数段積み上げるようにしても良い。
【００２９】
（第３実施形態）
図１１及び図１２は、本発明の第３実施形態に係わる多画面表示装置の側面図である。第３実施形態に示される多画面表示装置が、先の実施形態と異なる点は、モニター金具２とブラケット１１とを連結するネジ３０・３１を設けた点である。
【００３０】
具体的には、図１１に示すように、モニター金具２の板状体５に形成された長孔６に、ブラケット１１のピン部材１５を挿通した状態で、モニター金具２の板状体５及びブラケット１１の板状体１４には、これら板状体５・１４を互いに締結するネジ３０が設けられている。そして、このようなネジ３０を板状体５・１４に螺合することによって、表示装置１をフレーム１０に固定及び保持することができ、該表示装置１がフレーム１０から脱落するトラブルを未然に防止することができる。
【００３１】
また、ネジ３０によって表示装置１をフレーム１０に固定及び保持することに限定されず、図１２の部分断面図に示すように、符号３１で示されるネジを、モニター金具２の板状体５に対して締結し、かつ該ネジ３１の下端部でブラケット１１の板状体１４を押圧すると良い。
そして、このような構成によって、モニター金具２の板状体５に対するネジ３１の螺合位置を適宜、調整することによって、表示装置１の上下位置を調整することができ、これによって上下に隣接配置される表示装置１との間に隙間を発生させず、該表示装置をその縦方向においても正確に位置決め及び固定することが可能となる。
【００３２】
（第４実施形態）
図１３は本発明の第４実施形態に係わる多画面表示装置を後側から見た斜視図、図１４は図１３におけるＨ部を拡大して示す分解斜視図、図１５は図１３の側面図である。第４実施形態に示される多画面表示装置が、先の実施形態と異なる点は、モニター金具、ピン部材及びブラケットを互いに係合させる構成にある。
【００３３】
図１３〜図１５に示すように、本実施形態では、表示装置６１として２つの表示装置６１ａ・６１ｂを用い、これらの表示装置６１ａ・６１ｂを縦方向に積み上げるようにして多画面表示装置を構成している。また、表示装置６１の背面（符号６１´で示す）の角部４箇所には、モニター金具６２（第１支持部材）がそれぞれ設けられている。
【００３４】
モニター金具６２は、Ｌ型金具によって形成されているものであって、該Ｌ型金具を構成する一方側の板状体６３は、ネジ６４によって表示装置６１の背面６１´の取付孔（不図示）に固定され、また、該Ｌ型金具を構成する他方側の板状体６５（表示側支持板）は、表示装置６１の背面６１´に対して突出しかつ直角となるように配置されている。
【００３５】
また詳しくは、モニター金具６２は、表示装置６１の上側の背面角部に配置され、板状体６５を貫通する孔の内周面に雌ネジ加工を施してなるネジ孔６６が形成された一対の上側モニター金具６２Ａと、表示装置６１の下側の背面角部に配置され、板状体６５に表示装置６１の横方向（矢印Ａ−Ｂ方向）に沿うように第１長孔６７が形成された一対の下側モニター金具６２Ｂと、から構成されている。また、ネジ孔６６の軸中心から背面６１´までの距離と、第１長孔６７の幅方向の中心から背面６１´までの距離とは、互いに同一に設定されている。
【００３６】
また、表示装置６１が取り付けられる壁体７０（取付台座）には、前述したモニター金具６２に連結される複数のブラケット７１（第２支持部材）が固定されている。該ブラケット７１は、モニター金具６２と同様に、Ｌ型金具によって形成されており、該Ｌ型金具を構成する一方側の板状体７２は、不図示のボルト等を用いるなど、任意の方法によって壁体７０に固定され、また、該Ｌ型金具を構成する他方側の板状体７４（固定側支持板）は、壁体７０から突出かつ直角となるように配置されている。詳しくは、ブラケット７１の板状体７４は、モニター金具６２の板状体６５に対応する位置に設けられるとともに、表示装置６１の背面６１´に向けて突出し形成されている。
【００３７】
また、ブラケット７１の板状体７４には、モニター金具６２の板状体６５に係合され表示装置６１の縦方向（矢印Ｃ−Ｄ方向）に沿うように延びる多段円柱状のピン部材７５が立設されている。また、板状体７４には、横方向に沿うように第２長孔８０が形成されている。
【００３８】
ピン部材７５は、その長手方向（すなわち前記縦方向）の上部が、第１長孔６７の幅寸法Ｍよりも僅かに小径に設定されているとともに該第１長孔６７に挿入され、その長手方向の下部が、第２長孔８０の幅寸法Ｍよりも僅かに小径に設定されているとともに該第２長孔８０に挿入されている。このような構成により、ピン部材７５、板状体６５の第１長孔６７及び板状体７４の第２長孔８０は、互いに横方向に移動可能とされている。
【００３９】
また、ピン部材７５の上端面には、六角レンチ等の工具が挿入されるとともに、該工具によりピン部材７５を軸周りに回転させるための穴部８１が形成されている。また、ピン部材７５の外周面において、少なくともこれら上部と下部との間には、雄ネジ加工を施してなるネジ部７６が形成されており、このネジ部７６が、上側モニター金具６２Ａのネジ孔６６に螺合されている。また、このようにピン部材７５がネジ孔６６に係合されることにより、該ピン部材７５を立設するブラケット７１の板状体７４が、上側モニター金具６２Ａの板状体６５を支持するようになっている。
【００４０】
また、このように、ピン部材７５がネジ孔６６及び第１長孔６７に係合した状態において、表示装置６１ａ・６１ｂにおける背面６１´・６１´が面一に設定される。そして、このように背面６１´・６１´が面一とされているので、表示装置６１ａ・６１ｂにおける背面６１´とは反対側を向く各表示画面も互いに面一に設定される。また、ピン部材７５において、ネジ部７６と前記下部との間には、第２長孔８０の幅寸法Ｍよりも大径に設定されたフランジ部７７が形成されている。
【００４１】
また、ピン部材７５のフランジ部７７の上面には、ストッパ７８が配設されている。ストッパ７８は、ネジ７９によって板状体７４上に固定されている。このような構成により、ピン部材７５が板状体７４の第２長孔８０から抜け出るようなことが防止され、表示装置６１を壁体７０に固定及び保持することができ、該表示装置６１が壁体７０から脱落するトラブルを未然に防止することができる。また、このようにストッパ７８が配設されることで、ピン部材７５のブラケット７１に対する横方向への移動が規制されるようになっている。
【００４２】
なお、図示の例では、ブラケット７１は、前述した構成を有するブラケット７１Ａと、表示装置６１のうち下側に配される表示装置６１ａの下側モニター金具６２Ｂにのみ対応するように配設されたブラケット７１Ｂと、から構成されている。また、ピン部材７５は、前記ブラケット７１Ａに配設され前述した構成を有するピン部材７５Ａと、前記ブラケット７１Ｂに配設され前述のネジ部７６、フランジ部７７及び穴部８１を有していない円柱状のピン部材７５Ｂと、から構成されている。
【００４３】
詳しくは、ブラケット７１Ｂは、その板状体７４に前述の第２長孔８０を形成する代わりに、ピン部材７５Ｂを一体に立設している。また、ピン部材７５Ｂの外径は、下側モニター金具６２Ｂの第１長孔６７の幅寸法Ｍよりも僅かに小径に設定されており、該ピン部材７５Ｂは第１長孔６７に挿通されている。
【００４４】
以上詳細に説明したように本実施形態に示される多画面表示装置では、ブラケット７１のピン部材７５は、上側モニター金具６２Ａのネジ孔６６に螺合していることから、その上側モニター金具６２Ａに対する横方向への移動が規制されている。また、ピン部材７５の長手方向の上部は表示装置６１ｂにおける下側モニター金具６２Ｂの第１長孔６７に挿入され、長手方向の下部はブラケット７１における板状体７４の第２長孔８０に挿入されているので、該ピン部材７５の前記下側モニター金具６２Ｂ及びブラケット７１に対する横方向への移動は許容されている。このような構成により、上下方向に隣接する各表示装置６１ａ・６１ｂ同士や、表示装置６１ａ・６１ｂと壁体７０との互いの横方向への相対移動が可能とされ、表示装置６１の横方向のずれを容易に調整できる。また、調整後には、ストッパ７８を前述のように固定することで、前記相対移動が規制される。
【００４５】
また、ピン部材７５が上側モニター金具６２Ａのネジ孔６６に螺合されていることから、該ピン部材７５をその軸周りに回転させることにより、上側モニター金具６２Ａがピン部材７５の立設された板状体７４に対して縦方向に移動可能とされている。従って、表示装置６１の壁体７０に対する縦方向への移動が可能であり、該表示装置６１の縦方向のずれも容易に調整することができる。
このように、本実施形態に係る多画面表示装置の固定構造及び固定方法によれば、表示装置６１をその横方向及び縦方向に容易に位置調整することができる。
【００４６】
なお、図示の例では、ブラケット７１に１つのピン部材７５が配設されることとしたが、前述の実施形態のようにして、ブラケット７１に一対のピン部材７５を配設しても構わない。そして、表示装置６１を横方向に複数設けることとしてもよい。
【符号の説明】
【００４７】
１、６１…表示装置
１´、６１´…背面
２、６２…モニター金具（第１支持部材）
２Ａ、６２Ａ…上側モニター金具（第１支持部材）
２Ｂ、６２Ｂ…下側モニター金具（第１支持部材）
４、６４…ネジ
５、６５…板状体（表示側支持板）
６…長孔
１０…フレーム（取付台座）
１１、７１…ブラケット（第２支持部材）
１４、７４…板状体（固定側支持板）
１５、７５…ピン部材
１６…基端部
１７…支持ピン
１７Ａ…支持ピンの中間部
３０…ネジ
３１…ネジ
４０…Ｌ型金具
６６…ネジ孔
６７…第１長孔
７０…壁体（取付台座）
７６…ネジ部
８０…第２長孔
【図１】
2010116502.tif 000003
【図２】
2010116502.tif 000004
【図３】
2010116502.tif 000005
【図４】
2010116502.tif 000006
【図５】
2010116502.tif 000007
【図６】
2010116502.tif 000008
【図７】
2010116502.tif 000009
【図８】
2010116502.tif 000010
【図９】
2010116502.tif 000011
【図１０】
2010116502.tif 000012
【図１１】
2010116502.tif 000013
【図１２】
2010116502.tif 000014
【図１３】
2010116502.tif 000015
【図１４】
2010116502.tif 000016
【図１５】
2010116502.tif 000017
【国際調査報告】
2010116502.tif 000018
2010116502.tif 000019
2010116502.tif 000020
2010116502.tif 000021